(57)【要約】【課題】鍋の温度を検知する温度センサを有する温度感知部を備えた炊飯器において、複数の温度ヒューズを温度感知部内に装着できるようにし、多重安全装置として安全性を向上し、省資源化する。【解決手段】有底略筒状で上面を開口した鍋１２を加熱体７により加熱し、鍋１２の温度を検知する温度センサ３の信号を受けて制御手段５により加熱体７を制御する。温度センサ３を有する温度感知部２４内に複数の温度ヒューズ２０を装着し、制御手段５は、温度ヒューズ２０の通電の有無を検知し遮断状態のとき加熱体７への通電を停止するよう構成する。【選択図】図１
2005192729.tif 000002
【特許請求の範囲】
【請求項１】
有底略筒状で上面を開口した鍋と、この鍋を加熱する加熱体と、前記鍋の温度を検知する温度センサを有する温度感知部と、前記温度センサの信号を受けて前記加熱体を制御する制御手段とを備え、前記温度感知部内に複数の温度ヒューズを装着し、前記制御手段は、前記温度ヒューズの通電の有無を検知し遮断状態のとき前記加熱体への通電を停止するよう構成した炊飯器。
【請求項２】
複数の温度ヒューズの絶縁を確保する絶縁チューブを備え、前記絶縁チューブは、前記温度ヒューズの中心軸方向と同方向に連接して一体化した請求項１記載の炊飯器。
【請求項３】
複数の温度ヒューズの接続にリード線を用いた請求項１または２記載の炊飯器。
【発明の詳細な説明】
【技術分野】
【０００１】
本発明は、鍋の温度を検知する温度センサを有する温度感知部を備えた炊飯器に関するものである。
【背景技術】
【０００２】
従来、この種の炊飯器は図６に示すように構成していた（例えば、特許文献１参照）。以下、その構成について説明する。
【０００３】
図６に示すように、鍋１２上面を開口した有底略筒状に構成し、この鍋１２の外周に保護枠１４を設け、保護枠１４により鍋１２を支持するよう構成し、保護枠１４の外周に加熱体を構成する側面加熱コイル１６を巻き付けている。温度ヒューズ１８は側面加熱コイル１６に接し、温度ヒューズ押え１７で固定されている。この構成は側面加熱コイル１６等の異常加熱を検知できるようになっている。
【０００４】
また、近年、図７に示すように、炊飯器本体６内に設けて、鍋１２を支持する保護枠１４の外周に第１の温度ヒューズ１を配置し、鍋１２の底部に配置した温度センサ３の近傍に第２の温度ヒューズ２を設け、第２の温度ヒューズ２が万一故障したときに、第１の温度ヒューズ１を動作させ、安全性を向上させる多重安全装置を設けるようになってきている。
【０００５】
第１の温度ヒューズ１と第２の温度ヒューズ２は、図８に示すように、接続線８で直列に接続し、接続線８の一端は電源コード（図示せず）を出入自在に有するコードリール４に接続し、他端は鍋１２を加熱する加熱コイル７を制御する制御手段５に接続している。絶縁チューブ１ａは第１の温度ヒューズ１を被覆し、第１の温度ヒューズ１の絶縁を確保するものである（例えば、特許文献２参照）。
【特許文献１】特開２００３−１６９７４８号公報
【特許文献１】特公平６−９３８６６号公報
【発明の開示】
【発明が解決しようとする課題】
【０００６】
本来、安全性を向上させる多重安全装置を設けるに当たって、第１の温度ヒューズ１は第２の温度ヒューズ２の横に配置した方が発熱体である鍋１２の温度を検知しやすく理想的である。
【０００７】
しかしながら、上記従来の構成では、温度センサ３と第２の温度ヒューズ２を内部に配置した温度感知部９が大きくなると、鍋１２との熱感知が悪くなり、炊飯性能に影響が出るという問題があり、また、１５Ａ程度の電流が流れる第２の温度ヒューズ２は、コンパクトな大きさのものがなく、従来の大きさの温度感知部９の内部に第１の温度ヒューズ１を追加し装着するスペースがなく、装着できないという問題を有していた。このため、第１の温度ヒューズ１は保護枠１４の外周に取り付けていた。
【０００８】
本発明は上記従来の課題を解決するもので、複数の温度ヒューズを温度感知部内に装着できるようにし、多重安全装置として安全性を向上し、省資源化することを目的としている。
【課題を解決するための手段】
【０００９】
本発明は上記目的を達成するために、有底略筒状で上面を開口した鍋を加熱体により加熱し、鍋の温度を検知する温度センサの信号を受けて制御手段により加熱体を制御するるよう構成し、温度センサを有する温度感知部内に複数の温度ヒューズを装着し、制御手段は、温度ヒューズの通電の有無を検知し遮断状態のとき加熱体への通電を停止するよう構成したものである。
【００１０】
これにより、温度ヒューズの電流の有無を微弱電流で検知することで、温度ヒューズの電流値を下げて小型化できて、複数の温度ヒューズを温度感知部内に装着することができ、多重安全装置として安全性を向上できるとともに、省資源化することができる。
【発明の効果】
【００１１】
本発明の炊飯器は、温度ヒューズの電流値を下げることで小型化できて、複数の温度ヒューズを温度感知部内に装着することができ、多重安全装置として安全性を向上できるとともに、省資源化することができる。
【発明を実施するための最良の形態】
【００１２】
第１の発明は、有底略筒状で上面を開口した鍋と、この鍋を加熱する加熱体と、前記鍋の温度を検知する温度センサを有する温度感知部と、前記温度センサの信号を受けて前記加熱体を制御する制御手段とを備え、前記温度感知部内に複数の温度ヒューズを装着し、前記制御手段は、前記温度ヒューズの通電の有無を検知し遮断状態のとき前記加熱体への通電を停止するよう構成したものであり、温度ヒューズの電流の有無を微弱電流で検知することで、温度ヒューズの電流値を下げて小型化できて、複数の温度ヒューズを温度感知部内に装着することができ、多重安全装置として安全性を向上できるとともに、省資源化することができる。
【００１３】
第２の発明は、上記第１の発明において、複数の温度ヒューズの絶縁を確保する絶縁チューブを備え、前記絶縁チューブは、前記温度ヒューズの中心軸方向と同方向に連接して一体化したものであり、省スペースと組立性を向上することができる。
【００１４】
第３の発明は、上記第１または第２の発明において、複数の温度ヒューズの接続にリード線を用いたものであり、絶縁チューブに複数の温度ヒューズを容易に組み立てることができ、組立性を向上することができる。
【００１５】
以下、本発明の一実施の形態について、図面を参照しながら説明する。なお、この実施の形態によって本発明が限定されるものではない。
【００１６】
図１に示すように、炊飯器本体６は、内部に保護枠１４を設け、保護枠１４により有底略筒状で上面を開口した鍋１２を支持するよう構成し、保護枠１４の外周に加熱体７装着し手鍋１２を加熱するようにしている。温度感知部２４は、図２に示すように、鍋１２の温度を検知する温度センサ３を有し、温度センサ３の出力を制御手段５に設けたマイクロコンピュータ２６に入力し、マイクロコンピュータ２６は温度センサ３の信号を受けて加熱体７を制御するよう構成している。
【００１７】
温度感知部２４内に複数の温度ヒューズ２０、２０を装着し、制御手段５に設けたマイクロコンピュータ２６は、温度ヒューズ２０、２０の通電の有無を検知し、温度ヒューズ２０、２０が遮断状態のとき加熱体７への通電を停止するよう構成している。このことにより、温度ヒューズ２０、２０に流れる電流値はマイクロコンピュータ２６で検知できる微少電流でよく、この結果、温度ヒューズ２０、２０は微小電流用の小型としている。
【００１８】
温度ヒューズ２０、２０の一端を、図３に示すように、接続子２２、２２でリード線２１、２１に接続し、他側を、接続子２２、２２を介してリード線２３で温度ヒューズ２０、２０を直列に接続している。この接続後、絶縁する絶縁チューブ１９により被覆する。絶縁チューブ１９は、１０００Ｖで１分間耐える絶縁性を有し、ピンホールのないフッ素材料等が使用される。絶縁チューブ１９は、温度ヒューズ２０、２０の中心軸方向と同方向に連接して一体化し、図４に示すように、断面形状が眼鏡形になるよう構成している。なお、穴１９ａは２個以上の複数とし、温度ヒューズ２０も２個以上の複数個としてもよい。
【００１９】
絶縁チューブ１９を被覆した状態で、図５に示すように、温度ヒューズ２０のリード部２０ａを絶縁チューブ１９とともにリード線２１、２１とリード線２３が略平行になるように曲げる。この形状により、図２に示すように、温度感知部２４の内部に収納可能となる。
【００２０】
温度ヒューズ２０、２０は温度ヒューズ金具２５で温度感知部２４内に固定する。また、温度ヒューズ２０は鍋１２側に温度センサ３を挟持し、温度センサ３により鍋１２の温度を検知するようにする。温度ヒューズ２０の周囲の金属は、通常熱伝導がよいアルミニウムを用いる。熱伝導のよい銀あるいは金でもよい。
【００２１】
上記構成において作用を説明する。制御手段５に設けたマイクロコンピュータ２６により温度ヒューズ２０、２０の通電の有無を検知することにより、温度ヒューズ２０、２０は小型化され、複数の温度ヒューズ２０、２０を温度感知部２４の内部に収納することができ、１つの温度ヒューズ２０が異常（この場合は短絡等）となっても、他の温度ヒューズ２０でバックアップすることができ、多重安全装置とすることができる。すなわち、従来と同じ大きさの温度感知部２４内に多重安全装置を収納することができる。
【００２２】
以上のように、本実施の形態においては、温度感知部２４内に複数の温度ヒューズ２０、２０を装着し、制御手段５は、温度ヒューズ２０、２０の通電の有無を検知し遮断状態のとき加熱体７への通電を停止するよう構成したので、温度ヒューズ２０、２０の電流の有無を微弱電流で検知することで、温度ヒューズ２０、２０の電流値を下げて小型化できて、複数の温度ヒューズ２０、２０を温度感知部２４内に装着することができ、多重安全装置として安全性を向上できるとともに、省資源化することができる。
【００２３】
また、複数の温度ヒューズ２０、２０の絶縁を確保する絶縁チューブ１９を備え、絶縁チューブ１９は、温度ヒューズ２０、２０の中心軸方向と同方向に連接して一体化したので、省スペースと組立性を向上することができる。
【００２４】
また、複数の温度ヒューズ２０、２０の接続にリード線２３を用いたので、絶縁チューブ１９に複数の温度ヒューズ２０、２０を容易に組み立てることができ、組立性を向上することができる。
【産業上の利用可能性】
【００２５】
以上のように、本発明にかかる炊飯器は、温度ヒューズの電流値を下げることで小型化できて、複数の温度ヒューズを温度感知部内に装着することができ、多重安全装置として安全性を向上できるとともに、省資源化することができるので、鍋の温度を検知する温度センサを有する温度感知部を備えた炊飯器として有用である。
【図面の簡単な説明】
【００２６】
【図１】本発明の一実施の形態における炊飯器の一部切欠した側面図
【図２】同炊飯器の要部拡大断面図
【図３】同炊飯器の要部分解斜視図
【図４】同炊飯器の絶縁チューブの拡大断面図
【図５】同炊飯器の要部斜視図
【図６】従来の炊飯器の要部断面図
【図７】従来の炊飯器の他の例の一部切欠した側面図
【図８】同炊飯器の一部切欠した要部平面図
【符号の説明】
【００２７】
３  温度センサ
５  制御手段
７  加熱体
１２  鍋
２０  温度ヒューズ
２４  温度感知部
【図１】
2005192729.tif 000003
【図２】
2005192729.tif 000004
【図３】
2005192729.tif 000005
【図４】
2005192729.tif 000006
【図５】
2005192729.tif 000007
【図６】
2005192729.tif 000008
【図７】
2005192729.tif 000009
【図８】
2005192729.tif 000010